(57)【要約】【課題】髪の毛を挟むフレームの弾力性を維持可能なヘアクリップを提供する。【解決手段】フレーム１を構成する第一フレーム１０と第二フレーム１１との一端は結合端１２になっており、他端は開放端１３になっている。第一フレー１０ムと第二フレーム１１との間に設けられているクリップ１４は、一端１４０が第一フレーム１０と第二フレーム１１との結合端１２に一体に形成されている。第一フレーム１０と第二フレーム１１との開放端１３は結合デバイス２によって結合されている。これにより、使用者の必要に応じて、第一フレーム１０と第二フレーム１１との開放端１３を広げ、フレーム１の弾力性を維持することができる。【選択図】  図１
2011025001.tif 000002
【特許請求の範囲】
【請求項１】
第一フレームと第二フレームとにより構成され、前記第一フレームと前記第二フレームとの一端は結合端になっており、別端は開放端になっているフレームと、
前記第一フレームと前記第二フレームとの間に設置され、一端が前記第一フレームと前記第二フレームとの結合端と一体になるクリップと、
前記フレームの前記第一フレームと前記第二フレームとの前記開放端を結合させ、前記フレームの前記第一フレームと前記第二フレームとの前記開放端を広げることによって前記フレームの弾力性を維持可能な結合デバイスと、
を備えることを特徴とするヘアクリップ。
【請求項２】
前記結合デバイスと前記フレームは一体構造であり、前記結合デバイスは前記フレームと一体成形で製造するか、または前記結合デバイスと前記フレームを別々に成形してから加工方式で二者を一体に形成することを特徴とする請求項１に記載のヘアクリップ。
【請求項３】
前記結合デバイスは前記フレームと分離状になることが可能であることを特徴とする請求項１に記載のヘアクリップ。
【請求項４】
前記結合デバイスに槽を設けることにより、下壁面を形成し、前記槽に開口を設け、前記フレームの前記第一フレームまたは前記第二フレームの末端を前記開口から前記結合デバイスの前記槽に入れ、前記フレームを湾曲形状に形成させ、弾力性を持たせることを特徴とする請求項１に記載のヘアクリップ。
【請求項５】
前記結合デバイスの下壁面に凹槽を設けることを特徴とする請求項１に記載のヘアクリップ。
【請求項６】
前記結合デバイスの下壁面に貫通穴を設けることを特徴とする請求項１に記載のヘアクリップ。
【請求項７】
前記フレームの前記第一フレームまたは前記第二フレームに補助結合デバイスを設けることを特徴とする請求項１に記載のヘアクリップ。
【請求項８】
前記フレームの前記第一フレームまたは前記第二フレームに補助結合デバイスを設け、また前記補助結合デバイスに延伸面を設けることを特徴とする請求項１に記載のヘアクリップ。
【請求項９】
前記フレームの前記第一フレームまたは前記第二フレームに補助結合デバイスを設け、また前記補助結合デバイスに穴を設けることを特徴とする請求項１に記載のヘアクリップ。
【請求項１０】
前記結合デバイスに突き柱を設けることを特徴とする請求項１に記載のヘアクリップ。
【請求項１１】
第一フレームと第二フレームとにより構成され、前記第一フレームと前記第二フレームとの一端は結合端になっており、別端は開放端になっているフレームと、
前記第一フレームと前記第二フレームとの間に設置され、一端が前記第一フレームと前記第二フレームとの結合端と一体になるクリップと、
槽を設け、下壁面を形成し、また前記槽に開口を設け、前記フレームの前記第一フレームと前記第二フレームとの開放端を結合させ、前記フレームの前記第一フレームと前記第二フレームとの開放端を広げることによって前記フレームの弾力性を維持可能な結合デバイスと、
を備えることを特徴とするヘアクリップ。
【請求項１２】
第一フレームと第二フレームにより構成され、前記第一フレームと前記第二フレームとの一端は結合端になっており、別端は開放端になっているフレームと、
前記第一フレームと前記第二フレームとの間に設置され、一端が前記第一フレームと前記第二フレームとの結合端と一体になるクリップと、
前記フレームの前記第一フレームと前記第二フレームとの開放端を結合させ、前記フレームの前記第一フレームと前記第二フレームとの開放端を広げることによってフレームの弾力性を維持可能な第一結合デバイスと、
直接前記フレームの前記第一フレームと前記第二フレームとの結合した開放端にかぶせ付けることが可能な第二結合デバイスと、
を備えることを特徴とするヘアクリップ。
【発明の詳細な説明】
【技術分野】
【０００１】
本発明はヘアクリップに関し、特に弾力性のあるヘアクリップに関する。
【背景技術】
【０００２】
現在、特許文献１〜１０に開示されているヘアクリップが販売されている。特許文献1には「一体成形のヘアクリップ」が開示され、特許文献２には「一体成形の波形ヘアクリップ」が開示されている。また、特許文献３には「ヘアクリップの改良構造」が開示され、特許文献４には「櫛機能を持つ弾力性のあるヘアクリップ構造」が開示されている。さらにまた、特許文献５には「バネヘアクリップの構造改良」が開示され、特許文献６には「ヘアクリップの構造改良」が開示されている。また、特許文献７には「ヘアクリップのピン接合構造改良」が開示され、特許文献８には「バネヘアクリップの構造改良追加（一）」が開示されている。さらにまた、特許文献９には「一体式ヘアクリップ構造」が開示され、特許文献１０には「バネ離脱防止ヘアクリップ」が開示されている。また、特許文献１１には、「櫛を持つバネヘアクリップ」が開示されている。これ等は全て、良く見られる弾力性のあるヘアクリップである。
【０００３】
またよく見られる、いわゆる水滴型ヘアクリップは、フレーム及びクリップを備えている。フレームは全て第一フレームと第二フレームとにより構成されている。また第一フレームと第二フレームとの間に結合端と開放端を設けている。そして、開放端に全て鋲穴を設け、鋲で第一フレームと第二フレームとの開放端を鋲接固定し、完全固定状に形成している。ここで、元の開放端も結合端になっている。このようにして、弾力性のあるヘアクリップの製造と加工を完了する。
【０００４】
上述のヘアクリップは、第一フレームと第二フレームとの開放端を直接鋲で鋲接するので、フレームの二端は全て結合端になる。また、固定された結合端の目的はフレームを湾曲状態にさせ、フレームに弾力性を持たせることにより、クリップに合わせて髪の毛を挟むことである。このような弾力性のあるヘアクリップは、全て金属材質により形成される。金属材質により製成されているため、第一フレームと第二フレームとの二端は全て永久結合端になっても、その弾力性の効果に影響を与えない。
しかし、プラスチック材質でフレームを製造した場合、長期間に渡り一定の形状に固定されると、持つべき弾力性がなくなるという問題がある。本発明は、フレーム弾力性がなくなり、定型的な形状になってしまうことを解決しようとするものである。
【先行技術文献】
【特許文献】
【０００５】
【特許文献１】台湾特許公告第２１８９６１号
【特許文献２】台湾特許公告第２２４２１０号
【特許文献３】台湾特許公告第２２８０８４号
【特許文献４】台湾特許公告第２７５１９８号
【特許文献５】台湾特許公告第２９４０１９号
【特許文献６】台湾特許公告第３０８０１３号
【特許文献７】台湾特許公告第３２４９１０号
【特許文献８】台湾特許公告第３４６７９４号
【特許文献９】台湾特許公告第５２１５９９号
【特許文献１０】台湾新型特許第M２４９５３９号
【特許文献１１】台湾新型特許第M２５０５８５号
【発明の概要】
【発明が解決しようとする課題】
【０００６】
上記問題を解決するためになされた本発明の目的は、弾力性のあるヘアクリップを提供することにある。
【課題を解決するための手段】
【０００７】
本発明によるヘアクリップは、フレームを備える。フレームは第一フレームと第二フレームとにより構成され、第一フレームと第二フレームとの一端は一体成形の結合端になっており、別端は開放端になっている。
本発明によるヘアクリップは、結合デバイスを設け、使用者がヘアクリップを使用するとき、結合デバイスを利用して、第一フレームと第二フレームとの開放端を一体に構成することができる。第一フレームと第二フレームとの間に適当な湾曲形状を形成させ、弾力性を持たせる。上記により、フレームとクリップで髪の毛を挟みながら、フレームの弾力性を維持する。
【０００８】
本発明によるヘアクリップの結合デバイスは、フレームとは一体構造または分離状になることができる。
本発明によるヘアクリップのクリップを第一フレームと第二フレームとの間に設置し、クリップの長さは、第一フレームと第二フレームよりやや短く、かつクリップの一端は、第一フレームと第二フレームとの一端の結合端とは一体成形である。
【０００９】
（発明の効果）
本発明では、主にプラスチック材質を一体成形することにより、弾力性のあるヘアクリップを製造し、フレームの持つべき弾力性を維持させ、ヘアクリップの弾力性で髪の毛を挟むという効果を奏する。また、結合デバイスを利用して、第一フレームと第二フレームとの開放端を結合させ、第一フレームと第二フレームとの間に適当な湾曲形状を形成させ、弾力性を持たせることにより、フレームとクリップで髪の毛を挟みながら、フレームの弾力性を維持することができる。
【図面の簡単な説明】
【００１０】
【図１】本発明の第１実施形態によるヘアクリップを示す斜視図。
【図２】本発明の第１実施形態によるヘアクリップの結合デバイスを示す断面図。
【図３】本発明の第１実施形態によるヘアクリップにおいてフレームが湾曲形状になった状態を示す断面図。
【図４】本発明の第１実施形態によるヘアクリップにおいてフレームが跳ね上がった状態を示す断面図。
【図５】本発明の第２実施形態によるヘアクリップを示す斜視図。
【図６】本発明の第２実施形態によるヘアクリップの結合デバイスを示す部分断面図。
【図７】本発明の第２実施形態によるヘアクリップの結合デバイスを示す部分断面図。
【図８】本発明の第３実施形態によるヘアクリップを示す斜視図。
【図９】本発明の第３実施形態によるヘアクリップの結合デバイスを示す部分断面図。
【図１０】本発明の第４実施形態によるヘアクリップを示す斜視図。
【図１１】本発明の第４実施形態によるヘアクリップを示す断面図。
【図１２】本発明の第５実施形態によるヘアクリップを示す分解斜視図。
【図１３】本発明の第６実施形態によるヘアクリップを示す分解斜視図。
【図１４】本発明の第６実施形態によるヘアクリップの結合した状態を示す斜視図。
【発明を実施するための形態】
【００１１】
以下、本発明の実施形態を図面に基づいて説明する。
（第１実施形態）
図１から図４に、本発明の第１実施形態によるヘアクリップを示す。第１実施形態によるヘアクリップは、少なくとも下記を備える。
【００１２】
フレーム１は、第一フレーム１０と第二フレーム１１とにより構成され、第一フレーム１０と第二フレーム１１との一端は一体成形の結合端１２になっており、別端は開放端１３になっている。開放端とは、第一フレーム１０の末端１００と第二フレーム１１の末端１１０とが、普段結合しない一端をいう。クリップ１４を第一フレーム１０と第二フレーム１１との間に設置し、クリップ１４の長さは第一フレーム１０及び第二フレーム１１よりやや短く、かつクリップ１４の一端１４０は、第一フレーム１０と第二フレーム１１との一端の結合端１２とは一体成形である。
【００１３】
ただしフレーム１の第一フレーム１０と第二フレーム１１との開放端１３が結合すると、クリップ１４の別端１４１がフレーム１の別側（図３参照）に位置することにより、フレーム１とクリップの１４が共同して作動し、ヘアクリップに弾力性を持たせる。
【００１４】
結合デバイス２は、図１に示すように、フレーム１と一体構造になっている。一体構造と言うのは、その結合デバイス２がフレームと一体成形に製造されるか、または結合デバイス２とフレーム１を別々に製造してから、加工方式で二者を一体に固定設置する。一体構造は、図１及び図２に示すように、結合デバイス２をフレーム１の第一フレーム（または、図示していないが第二フレーム）に設け、その結合デバイス２に槽２０を設けることにより、下壁面２１を形成し、また槽２０に開口２２を設ける。
【００１５】
フレーム１の第一フレーム１０または第二フレーム１１の末端１１０をその開口２２から結合デバイス２の槽２０の中に入れ、第一フレーム１０と第二フレーム１１との開放端１３が結合され、フレーム１を湾曲形状に形成させることにより（図３参照）、ヘアクリップに弾力性を持たせる。もしくは使用するときに、使用者はクリップ１４を押すと、フレーム１が上方へ跳ね上がり（図４参照）、フレーム１とクリップ１４の間に大開口が形成されることにより、使用者は髪の毛を挟むことができる。また第１実施形態のヘアクリップで髪の毛を挟まないとき、第一フレーム１０と第二フレーム１１との開放端が分離されるので、フレーム１の弾力性が長く維持され、ヘアクリップの使用寿命が確保される。
【００１６】
（第２実施形態）
図５から図７に、本発明の第２実施形態によるヘアクリップを示す。第２実施形態のフレーム１は、第１実施形態のフレーム１と同じように、第一フレーム１０と第二フレーム１１とにより構成される。ただし第二フレーム１１の末端１１０に補助結合デバイス３を設ける。
【００１７】
結合デバイス２Ａは、フレーム１と一体構造である。結合デバイス２Ａをフレーム１の第一フレーム（または、図示していないが第二フレーム）に設け、その結合デバイス２Ａに槽２０Ａを設けることにより、下壁面２１Ａを形成している。さらに、下壁面２１Ａの上方に凹槽２１０Ａ（図６参照）を設け、または貫通穴２１１Ａ（図７参照）を設け、さらに槽２０Ａに開口２２Ａを設けている。フレーム１の第一フレーム１０と第二フレーム１１との開放端１３を結合させるとき、下壁面２１Ａが持っている材質の弾力性を利用して適当に開閉させてから、フレーム１の第二フレーム１１（または、図示していないが第一フレーム）の末端１１０を開口２２Ａから結合デバイス２Ａの槽２０Ａの中に入れる。
【００１８】
または、フレーム１の第二フレーム１１の末端１１０の補助結合デバイス３を凹槽２１０Ａまたは貫通穴２１１Ａと結合させ、第一フレーム１０と第二フレーム１１との開放端１３を結合させ、フレーム１を湾曲形状に形成し（図３参照）、ヘアクリップに弾力性を持たせる。第２実施形態のヘアクリップで髪の毛を挟まないとき、第一フレーム１０と第二フレーム１１との開放端が分離されるので、フレーム１の弾力性が長く維持され、ヘアクリップの使用寿命が確保される。
【００１９】
（第３実施形態）
図８及び図９に、本発明の第３実施形態によるヘアクリップを示す。第３実施形態のフレーム１は、第１実施形態のフレーム１と同じように、第一フレーム１０と第二フレーム１１とにより構成される。ただし第二フレーム１１の末端１１０に補助結合デバイス３を設ける。補助結合デバイス３Ａの下方に延伸面３０Ａを設ける。結合デバイス２Ａは、図７に示す結合デバイスと同じである。
【００２０】
補助結合デバイス３Ａと結合デバイス２Ａとを結合させ、また結合デバイス２Ａの下壁面２１Ａの下方を支える補助結合デバイス３Ａの延伸面３０Ａを設け、第一フレーム１０と第二フレーム１１との開放端１３を結合させ、フレーム１を湾曲形状に形成し（図３参照）、ヘアクリップに弾力性を持たせる。また第３実施形態のヘアクリップで髪の毛を挟まないとき、第一フレーム１０と第二フレーム１１との開放端が分離されるので、フレーム１の弾力性が長く維持され、ヘアクリップの使用寿命が確保される。
【００２１】
（第４実施形態）
図１０及び図１１に、本発明の第４実施形態によるヘアクリップを示す。第４実施形態のフレーム１は、第１実施形態のフレーム１と同じように、第一フレーム１０と第二フレーム１１とにより構成される。ただし第二フレーム１１の末端１１０に補助結合デバイス３Ｂを設け、補助結合デバイス３Ｂは一つの貫通穴である。
【００２２】
結合デバイス２Ｂをフレーム１の第一フレーム１０の末端（または、図示していないが第二フレーム）に設け、結合デバイス２Ｂに突き柱２３Ｂを設ける。
補助結合デバイス３Ｂの穴と結合デバイス２Ｂの突き柱２３Ｂとを結合させ、第一フレーム１０と第二フレーム１１との開放端１３を結合させることにより、フレーム１を湾曲形状に形成し（図１１参照）、ヘアクリップに弾力性を持たせる。また使用しないとき、第一フレーム１０と第二フレーム１１との開放端が分離されるので、フレーム１の弾力性が長く維持され、ヘアクリップの使用寿命が確保される。
【００２３】
（第５実施形態）
図１２に、本発明の第５実施形態によるヘアクリップを示す。第５実施形態のフレーム１は、第１実施形態のフレーム１と同じように、第一フレーム１０と第二フレーム１１とにより構成される。
結合デバイス２Ｃとフレーム１とは分離式構造であって、結合デバイス２Ｃに槽２０Ｃを設けることにより、下壁面２１Ｃを形成し、また槽２０に開口２２Ｃを設ける。
【００２４】
結合デバイス２Ｃを直接第一フレーム１０と第二フレーム１１との開放端１３にかぶせ付け、フレーム１の第一フレーム１０と第二フレーム１１との開放端１３が結合されることにより、フレーム１を湾曲形状に形成し、弾力性を持たせる。また使用しないとき、第一フレーム１０と第二フレーム１１との開放端が分離されるので、フレーム１の弾力性が長く維持され、ヘアクリップの使用寿命が確保される。
【００２５】
（第６実施形態）
図１３及び１４に、本発明の第６実施形態によるヘアクリップを示す。第６実施形態のフレーム１は、第４実施形態のフレーム１と同じように、第一フレーム１０と第二フレーム１１とにより構成され、第二フレーム１１の末端１１０に補助結合デバイス３Ｂを設け、補助結合デバイス３Ｂは一つの貫通穴である。
結合デバイス２Ｂをフレーム１の第一フレーム１０（または、図示していないが第二フレーム）の末端に設け、結合デバイス２Ｂに突き柱２３Ｂを設ける。
【００２６】
第二結合デバイス４とフレーム１とは分離式構造であって、第二結合デバイス４に槽４０を設けることにより、下壁面４１を形成し、また槽４０に開口４２を設ける。
補助結合デバイス３Ｂの穴と結合デバイス２Ｂの突き柱２３Ｂとを結合させ、更に第二結合デバイス４を第一フレーム１０と第二フレーム１１との開放端１３にかぶせ付け、フレーム１の第一フレーム１０と第二フレーム１１との開放端１３が結合されることにより、フレーム１を湾曲形状に形成し、弾力性を持たせる。また使用しないとき、第一フレーム１０と第二フレーム１１との開放端が分離されるので、フレーム１の弾力性が長く維持され、ヘアクリップの使用寿命が確保される。
【００２７】
このように、本発明のヘアクリップの結合デバイスは、フレームと一体構造または分離状とすることができる。一体構造の場合は、使用者が使用過程において、結合デバイスの紛失を防止することができる。ただし、分離式の結合デバイスであっても、もし紛失問題を克服できれば、当然本発明の設計目的においては構わない。その目的は結合デバイスを利用し、使用者がそのヘアクリップを使用するときに、第一フレームと第二フレームを一体に形成させることにより、第一フレームと第二フレームとの間に適当な湾曲形状を形成し、弾力性を持たせる。上記により、フレームとクリップで髪の毛を挟みながら、フレームの弾力性を維持することができる。
【符号の説明】
【００２８】
１：フレーム、１０：第一フレーム、１００：末端、１１：第二フレーム、１１０：末端、１２：結合端、１３：開放端、１４：クリップ、１４０：一端、１４１：別端、２：結合デバイス、２０：槽、２１：下壁面、２２：開口、２Ａ：結合デバイス、２０Ａ：槽、２１Ａ：下壁面、２１０Ａ：凹槽、２１１Ａ：貫通穴、２２Ａ：開口、２Ｂ：結合デバイス、２３Ｂ：突き柱、２Ｃ：結合デバイス、２０Ｃ：槽、２１Ｃ：下壁面、２２Ｃ：開口、３：補助結合デバイス、３Ａ：補助結合デバイス、３０Ａ：延伸面、３Ｂ：補助結合デバイス、４：第二結合デバイス、４０：槽、４１：下壁面、４２：開口
【図１】
2011025001.tif 000003
【図２】
2011025001.tif 000004
【図３】
2011025001.tif 000005
【図４】
2011025001.tif 000006
【図５】
2011025001.tif 000007
【図６】
2011025001.tif 000008
【図７】
2011025001.tif 000009
【図８】
2011025001.tif 000010
【図９】
2011025001.tif 000011
【図１０】
2011025001.tif 000012
【図１１】
2011025001.tif 000013
【図１２】
2011025001.tif 000014
【図１３】
2011025001.tif 000015
【図１４】
2011025001.tif 000016